(57)【要約】【課題】局装置と端末装置が互いに非同期で運用されている場合に、局装置が周波数偏差による受信位相の変動を考慮しなくて済むように、局装置における上り信号の受信位相の変動を少なくする手段を備えた端末装置を得ること。【解決手段】周波数偏差検出回路１４はＧａｔｅ信号検出位相信号３７と時間情報３８とに基づきＯＬＴ１との周波数偏差を検出する。補正制御回路１６は送信タイミング制御回路１５が生成した送信タイミング制御情報４４と周波数偏差検出信号３９とから待ち合わせ時間の補正情報４０を出力する。送信タイミング制御回路１５は補正情報４０に従って待ち合わせ時間を補正した送出制御情報４１を制御フレーム挿入回路１０に出力する。その結果、ＯＬＴ１に受信される上り信号の先頭位相を局装置自体のクロックに基づいて計算した位相に一致させることが可能となり、上り伝送帯域の有効利用が図れるようになる。【選択図】      図１
2004312454.tif 000002
【特許請求の範囲】
【請求項１】
光伝送媒体を介して接続される局装置と複数の端末装置とが互いに非同期で運用されている状態で、前記局装置が、伝送帯域を共用する前記複数の端末装置それぞれの使用帯域の割り当てを制御するとともに、各端末装置との距離に応じた伝送時間を測定しそれぞれの測定値に応じた上り信号の送出予定時刻を各端末装置に通知し、各端末装置が、その通知された上り信号の送出予定時刻に従って局装置への上り信号の送出時刻を制御して伝送する光バースト送受信網において、
前記各端末装置は、
自端末装置の時間情報と前記局装置が持つ時間情報との周波数偏差を検出する周波数偏差検出手段と、
前記周波数偏差検出手段が検出した周波数偏差に基づき前記局装置への上り信号の送出タイミングを補正する補正制御手段と、
を備えたことを特徴とする端末装置。
【請求項２】
前記周波数偏差検出手段は、
前記局装置から送信される時間情報を含む制御信号を検出した場合に、以前の時間情報を含む制御信号との差分を自端末装置内の動作クロックで計数し、それに基づき前記局装置に対する自端末装置の周波数偏差量を計算し記憶する手段、
を備えたことを特徴とする請求項１に記載の端末装置。
【請求項３】
前記周波数偏差検出手段は、
前記局装置から送信される時間情報を含む制御信号を検出する毎に、前記算出記憶した周波数偏差量を最新の計算値に更新する手段、
を備えたことを特徴とする請求項２に記載の端末装置。
【請求項４】
前記補正制御手段は、
局装置から自端末装置に通知された上り信号の送出予定時刻に対して補正制御を行う際、前記周波数偏差検出手段が求めた周波数偏差量を用いて、局装置から送出予定時刻を含む制御フレームを受信した時刻による待ち時間に応じた送出予定時刻の補正を行う手段、
を備えたことを特徴とする請求項２または３に記載の端末装置。
【発明の詳細な説明】
【０００１】
【発明の属する技術分野】
この発明は、光バースト送受信網において局装置と光バースト信号を送受信する端末装置に関するものである。
【０００２】
【従来の技術】
例えば、ＩＥＥＥ８０２．３ａｈ  Ｅｔｈｅｒｎｅｔ（Ｒ）  ｉｎ  ｔｈｅ  Ｆｉｒｓｔ  Ｍｉｌｅ（ＥＦＭ）Ｔａｓｋ  Ｆｏｒｃｅでは、伝送帯域を共用する複数の端末装置と局装置とが光伝送媒体を介して接続される光バースト送受信網において、局装置が、各端末装置の使用帯域の割り当てを制御するとともに、各端末装置との距離に応じた伝送時間を測定しそれぞれの測定値に応じた上り信号の送出予定時刻を各端末装置に通知し、各端末装置が、その通知された上り信号の送出予定時刻に従って局装置への伝送信号の送出時刻を制御して局装置にイーサネット（Ｒ）フレームのフォーマットを用いてデータを伝送する方式の標準化が進められている。
【０００３】
この方式では、従来のイーサネット（Ｒ）フレームの伝送方式をそのままＰＯＮ（ｐａｓｓｉｖｅ  ｏｐｔｉｃａｌ  ｎｅｔｗｏｒｋ）上の伝送に適用するため、可変長フレーム、非同期動作が適用されている。以下、図４、図５を参照してその概要を説明する。なお、図４は、この発明が対象とする光バースト送受信網の構成例を示すブロック図である。図５は、図４に示す局装置と端末装置の送受信動作を説明するタイムチャートである。
【０００４】
図４において、局装置（以下「ＯＬＴ」と記す）１０１には、複数の端末装置（以下「ＯＮＵ」と記す）１０２がスターカプラ１０３および光ファイバ１０４を介して接続されている。
【０００５】
ＯＬＴ１０１は、光ファイバ１０４とのインタフェースをなす電気・光変換回路１０５と、ネットワーク側からの下りユーザフレーム１２２が入力され、フレーム信号１２３を電気・光変換回路１０５に出力する制御フレーム挿入回路１０６と、電気・光変換回路１０５から電気信号１２６が入力され、ネットワーク側に上りユーザフレーム１２１を送出する制御フレーム抽出回路１０９と、時計１０８と、制御フレーム抽出回路１０９から制御フレーム１２７を受けて、また時計１０８から時間情報１２５を受けて、制御フレーム挿入回路１０６に制御フレーム１２４を送出するＧａｔｅ信号生成回路１０７とを備えている。
【０００６】
また、ＯＮＵ１０２は、光ファイバ１０４とのインタフェースをなす電気・光変換回路１１０と、電気・光変換回路１１０から電気信号１３３が入力され、下りユーザフレーム１３１を出力する制御フレーム抽出回路１１１と、上りユーザフレーム１３２が入力されるバッファ１１５と、バッファ１１５の出力１３９を受けて上り伝送信号１４０を電気・光変換回路１１０に出力する制御フレーム挿入回路１１６と、制御フレーム抽出回路１１１から制御フレーム１３４を受けて信号送出タイミング情報１３５と時間情報１３６とを出力するＧａｔｅ信号抽出回路１１２と、時間情報１３６を受けて時間情報１３７を出力する時計１１３と、信号送出タイミング情報１３５と時間情報１３７を受けて制御フレーム挿入回路１１６に送出制御情報１３８を出力する送信タイミング制御回路１１４とを備えている。
【０００７】
以上の構成において、ＯＬＴ１０１では、ネットワーク側からの下りユーザフレーム１２２に対して、制御フレーム挿入回路１０６は、フレームとフレームとの間にＧａｔｅ信号生成回路１０７からの制御フレーム１２４を挿入したフレーム信号１２３を生成する。生成されたフレーム信号１２３は、電気・光変換回路１０５にて光信号に変換され光ファイバ１０４の伝送路に送出される。
【０００８】
また、ＯＬＴ１０１では、ＯＮＵ１０２からの光信号が光・電気変換回路１０５にて電気信号１２６に変換される。制御フレーム抽出回路１０９は、光・電気変換回路１０５から入力される電気信号１２６から各ＯＮＵの帯域情報を含む制御フレーム１２７を抽出してＧａｔｅ信号生成回路１０７に与える一方、ユーザフレームは上りユーザフレーム１２１としてネットワーク側に送出する。
【０００９】
その過程で、Ｇａｔｅ信号生成回路１０７は、抽出された各ＯＮＵの帯域情報を含む制御フレーム１２７から各ＯＮＵの上り伝送方向の伝送帯域を計算する。同時に、Ｇａｔｅ信号生成回路１０７は、ＯＬＴ内部のクロックで動作する時計１０８から取り出した時間情報１２５に基づき各ＯＮＵとの距離に応じた伝送時間を算出し、各ＯＮＵが送信する上り信号の送出予定時刻を算出する。Ｇａｔｅ信号生成回路１０７は、このように算出した各ＯＮＵの上り伝送方向の伝送帯域と上り信号の送出予定時刻とを表示するＧａｔｅ信号を含む上記制御フレーム１２４を生成する。
【００１０】
次に、ＯＮＵ１０２では、ユーザ側から入力される上りユーザフレーム１３２は、一旦バッファ回路１１５に蓄積される。制御フレーム挿入回路１１６は、送出タイミング制御回路１１４からの送出制御情報１３８に基づいてバッファ回路１１５からユーザフレーム１３９を読み出すとともに、制御フレームを生成し、ユーザフレーム１３９と生成した制御フレームとを含む上り伝送信号１４０を送出制御情報１３８が規定する送出タイミングに従って送出する。上り伝送信号１４０は、電気・光変換回路１１０にて光信号に変換され、光ファイバ１０４の伝送路に送出される。
【００１１】
また、ＯＮＵ１０２では、ＯＬＴ１０１からの光信号が光・電気変換回路１１０にて電気信号１３３に変換される。制御フレーム抽出回路１１１では、光・電気変換回路１１０から入力される電気信号１３３から自ＯＮＵ宛の制御フレーム１３４を抽出してＧａｔｅ信号抽出回路１１２に与える一方、自ＯＮＵ宛のユーザフレームは、下りユーザフレーム１３１としてユーザ側に出力する。
【００１２】
その過程で、Ｇａｔｅ信号抽出回路１１２は、制御フレーム抽出回路１１１にて抽出された制御フレーム１３４から信号送出タイミング情報１３５を検出すると同時に、ＯＬＴ１０１の時間情報１３６も検出する。ＯＮＵ１０２内部の時計１１３は、この検出された時間情報１３６により制御され、制御された時間情報１３７を出力する。
【００１３】
送出タイミング制御回路１１４は、Ｇａｔｅ信号抽出回路１１２からの信号送出タイミング情報１３５と時計１１３からの制御された時間情報１３７とに基づき上記送出制御情報１３８を生成し、制御フレーム挿入回路１１６がＯＬＴ１０１に送出する制御フレームやユーザフレームを含む上り伝送信号１４０の送出タイミングを制御する。
【００１４】
次に、図５を参照して、ＯＬＴ１０１とＯＮＵ１０２とが互いに非同期で動作する場合にＯＬＴ１０１にて行われる受信位相の設定方法を説明する。図５において、ＯＬＴ１０１が送信するＧａｔｅ信号を含む制御フレーム１５１は、光ファイバ１０４での伝送遅延分の時間ずれを伴って各ＯＮＵに受信されることになる。
【００１５】
このとき、ＯＬＴ１０１とＯＮＵ１０２が互いに非同期で運用されている場合には、ＯＬＴ１０１は、内部の時計１０８に基づき各ＯＮＵからの信号の受信位相を設定し、制御フレーム１５１に含ませるＧａｔｅ信号に表示する。この受信位相の設定では、各ＯＮＵが持つ時計の周波数偏差を考慮して受信予約時間１６１を設定する。
【００１６】
すなわち、ＯＬＴ１０１は、内部の時計１０８をＯＬＴの基準１６２とし、ＯＬＴの基準１６２に対してプラス（＋）側の周波数偏差による変動マージン（＋）１６３とマイナス（−）側の周波数偏差による変動マージン（−）１６４とを定める。受信予約時間１６１は、変動マージン（＋）１６３と変動マージン（−）１６４とをユーザフレーム１５２の時間長に加えた時間領域となっている。
【００１７】
つまり、ＯＬＴ１０１では、受信位相が、ＯＬＴの基準１６２に対してプラス（＋）側の周波数偏差による変動マージン（＋）１６３を取った位置となる受信位相１６５と、ＯＬＴの基準１６２に対してマイナス（−）側の周波数偏差による変動マージン（−）１６４を取った位置となる受信位相１６６との間に収まるように各ＯＮＵの上り信号送出予定時刻を定める。制御フレーム１５１に含ませたＧａｔｅ信号には、そのような送出予定時刻が表示されている。
【００１８】
そこで、ＯＮＵ１０２は、受信した制御フレーム１５３からＧａｔｅ信号を検出し、時計１１３を制御して指示された待ち合わせ時間１７１を設定し、その待ち合わせ時間１７１の経過後にユーザフレーム１５４をＯＬＴ１０１に送出する。
【００１９】
その結果、ＯＬＴ１０１では、ユーザフレーム１５２を規定範囲内での周波数偏差を持った位相で受信できることになる。
【００２０】
【発明が解決しようとする課題】
しかしながら、上記のように、ＯＬＴとＯＮＵが互いに非同期で運用されている場合、ＯＬＴは、図５に示したように規定範囲内の周波数偏差を考慮した帯域を受信領域に設定するが、この周波数偏差を考慮した帯域は、各ＯＮＵが持つ時計の動作クロックとＯＬＴが持つ時計の動作クロックとの周波数偏差によって個々に違う値となる。しかも、ＯＬＴは、各ＯＮＵの周波数偏差を認識していない。
【００２１】
つまり、ＯＬＴは、図５に示した受信予約時間１６１である上り受信帯域をＯＮＵの時計との周波数偏差が最大と仮定した場合の帯域に固定的に設定することになるので、各ＯＮＵが共用する上り伝送帯域の有効利用が図れないという問題がある。
【００２２】
この発明は、上記に鑑みてなされたもので、局装置と端末装置が互いに非同期で運用されている場合に、局装置が周波数偏差による受信位相の変動を考慮しなくて済むように、局装置における上り信号の受信位相の変動を少なくする手段を備えた端末装置を得ることを目的とする。
【００２３】
【課題を解決するための手段】
上記の目的を達成するために、この発明にかかる端末装置は、光伝送媒体を介して接続される局装置と複数の端末装置とが互いに非同期で運用されている状態で、前記局装置が、伝送帯域を共用する前記複数の端末装置それぞれの使用帯域の割り当てを制御するとともに、各端末装置との距離に応じた伝送時間を測定しそれぞれの測定値に応じた上り信号の送出予定時刻を各端末装置に通知し、各端末装置が、その通知された上り信号の送出予定時刻に従って局装置への上り信号の送出時刻を制御して伝送する光バースト送受信網において、前記各端末装置は、自端末装置の時間情報と前記局装置が持つ時間情報との周波数偏差を検出する周波数偏差検出手段と、前記周波数偏差検出手段が検出した周波数偏差に基づき前記局装置への上り信号の送出タイミングを補正する補正制御手段とを備えたことを特徴とする。
【００２４】
この発明によれば、局装置と端末装置が互いに非同期で運用されている場合に、局装置が周波数偏差による受信位相の変動を考慮しなくて済むように、端末装置は、局装置が持つ時間情報を用いて上り信号の送出タイミングを制御する。したがって、局装置における上り信号の受信位相の変動を少なくすることができ、局装置に受信される上り信号の先頭位相を局装置自体のクロックに基づいて計算した位相に一致させることができる。
【００２５】
【発明の実施の形態】
以下に添付図面を参照して、この発明にかかる端末装置の好適な実施の形態を詳細に説明する。
【００２６】
図１は、この発明の一実施の形態である端末装置を備える光バースト送受信網の構成を示すブロック図である。図１において、局装置（以下「ＯＬＴ」と記す）１には、複数の端末装置（以下「ＯＮＵ」と記す）２がスターカプラ３および光ファイバ４を介して接続されている。
【００２７】
ＯＬＴ１は、光ファイバ４とのインタフェースをなす電気・光変換回路５と、ネットワーク側からの下りユーザフレーム２２が入力され、フレーム信号２３を電気・光変換回路５に出力する制御フレーム挿入回路６と、電気・光変換回路５から電気信号２６が入力され、ネットワーク側に上りユーザフレーム２１を送出する制御フレーム抽出回路９と、時計８と、制御フレーム抽出回路９から制御フレーム２７を受けて、また時計８から時刻情報２５を受けて、制御フレーム挿入回路６に制御フレーム２４を送出するＧａｔｅ信号生成回路７とを備えている。
【００２８】
また、ＯＮＵ２は、光ファイバ４とのインタフェースをなす電気・光変換回路１０と、電気・光変換回路１０から電気信号３３が入力され、下りユーザフレーム３１を出力する制御フレーム抽出回路１１と、制御フレーム抽出回路１１から制御フレーム３４を受けて、信号送出タイミング情報３５と時間情報３６とＧａｔｅ信号検出位相信号３７とを出力するＧａｔｅ信号抽出回路１２と、時間情報３６を受けて時間情報３８を出力する時計１３と、Ｇａｔｅ信号検出位相信号３７と時間情報３８とを受けて周波数偏差情報３９を出力する周波数偏差検出回路１４と、周波数偏差情報３９と送出タイミング制御情報４４とを受けて補正情報４０を出力する補正制御回路１６と、信号送出タイミング情報３５と補正情報４０を受けて送出タイミング制御情報４４と送出制御情報４１とを出力する送信タイミング制御回路１５と、上りユーザフレーム３２が入力されるバッファ１７と、バッファ１７の出力４２と送出制御情報４１を受けて上り伝送信号４３を電気・光変換回路１０に出力する制御フレーム挿入回路１８とを備えている。
【００２９】
以上の構成において、ＯＬＴ１では、ネットワーク側からの下りユーザフレーム２２に対して、制御フレーム挿入回路６は、フレームとフレームとの間にＧａｔｅ信号生成回路７からの制御フレーム２４を挿入したフレーム信号２３を生成する。生成されたフレーム信号２３は、電気・光変換回路５にて光信号に変換され光ファイバ４の伝送路に送出される。
【００３０】
また、ＯＬＴ１では、ＯＮＵ２からの光信号が光・電気変換回路５にて電気信号２６に変換される。制御フレーム抽出回路９は、光・電気変換回路５から入力される電気信号２６から各ＯＮＵの帯域情報を含む制御フレーム２７を抽出してＧａｔｅ信号生成回路７に与える一方、ユーザフレームは上りユーザフレーム２１としてネットワーク側に送出する。
【００３１】
その過程で、Ｇａｔｅ信号生成回路７は、抽出された各ＯＮＵの帯域情報を含む制御フレーム２７から各ＯＮＵの上り伝送方向の伝送帯域を計算する。同時にＧａｔｅ信号生成回路７は、ＯＬＴ内部のクロックで動作する時計８から取り出した時間情報２５に基づき各ＯＮＵとの距離に応じた伝送時間を算出し、各ＯＮＵが送信する上り信号の送出予定時刻を算出する。Ｇａｔｅ信号生成回路７は、このように算出した各ＯＮＵの上り伝送方向の伝送帯域と上り信号の送出予定時刻とを表示するＧａｔｅ信号を含む上記制御フレーム２４を生成する。
【００３２】
次に、ＯＮＵ２では、ユーザ側から入力される上りユーザフレーム３２は、一旦バッファ回路１７に蓄積される。制御フレーム挿入回路１８は、送出タイミング制御回路１５からの送出制御情報４１に基づいてバッファ回路１７からユーザフレーム４２を読み出すとともに、制御フレームを生成し、ユーザフレーム４４と生成した制御フレームとを含む上り伝送信号４３を送出制御情報４１が規定する送出タイミングに従って送出する。上り伝送信号４３は、電気・光変換回路１０にて光信号に変換され、光ファイバ４の伝送路に送出される。
【００３３】
また、ＯＮＵ２では、ＯＬＴ１からの光信号が光・電気変換回路１０にて電気信号３３に変換される。制御フレーム抽出回路１１では、光・電気変換回路１０から入力される電気信号３３から自ＯＮＵ宛の制御フレーム３４を抽出してＧａｔｅ信号抽出回路１２に与える一方、自ＯＮＵ宛のユーザフレームは、下りユーザフレーム３１としてユーザ側に出力する。
【００３４】
その過程で、Ｇａｔｅ信号抽出回路１２では、制御フレーム抽出回路１１にて抽出された制御フレーム３４から信号送出タイミング情報３５とＯＬＴ１の時間情報３６とを検出し、またＧａｔｅ信号検出位相信号３７を出力する。ＯＮＵ２内部の時計１３は、この検出された時間情報３６により制御され、制御した時間情報３８を出力する。
【００３５】
周波数偏差検出回路１４は、時計１３が出力する制御した時間情報３８とＧａｔｅ信号抽出回路１２が検出したＧａｔｅ信号検出位相信号３７とに基づき、ＯＬＴ１の時計８に対するＯＮＵ２の時計３８の周波数偏差情報３９を算出する。送信タイミング制御回路１５は、まず、信号送出タイミング情報３５に基づき送出タイミング制御情報４４を生成し、補正制御回路１６に与える。
【００３６】
補正制御回路１６は、算出された周波数偏差情報３９と送信タイミング制御回路１５からの送出タイミング制御情報４４とに基づき待ち合わせ時間の補正情報４４を生成し、送信タイミング制御回路１５に与える。
【００３７】
その結果、送信タイミング制御回路１５は、先に生成した送出タイミング制御情報４４を補正情報４４に基づき補正した上記送出制御情報４１を新たに生成し、制御フレーム挿入回路１６がＯＬＴ１に送出する制御フレームやユーザフレームを含む上り伝送信号４３の送出タイミングを制御する。
【００３８】
次に、図１〜図３を参照して、ＯＬＴ１とこの実施の形態によるＯＮＵ２との間で行われる受信位相の設定動作を説明する。なお、図２は、図１に示すＯＬＴ１とＯＮＵ２の送受信動作を説明するタイムチャートである。図３は、図１に示すＯＮＵ２にて実施される周波数偏差の検出動作および待ち合わせ時間の補正制御動作を説明するタイムチャートである。
【００３９】
図２において、ＯＬＴ１からのＧａｔｅ信号を含む制御フレーム  ５１は、光ファイバ４の伝送遅延分の時間のずれを伴ってＯＮＵ２に受信されることになる。
【００４０】
このとき、ＯＬＴ１とＯＮＵ２が互いに非同期で運用されている場合には、ＯＬＴ１は、内部の時計８に基づき各ＯＮＵからの信号の受信位相を設定し、制御フレーム５１に含ませるＧａｔｅ信号に表示する。ここで、この実施の形態では、ＯＬＴ１は、各ＯＮＵ２からの上り信号の先頭位相がＯＬＴ１内のクロックに基づいて計算した位相に一致させることが可能となっている。
【００４１】
そのため、定める受信予約時間５６は、図示するように、ユーザフレーム５２の先頭に周波数偏差による僅かな変動マージン５７を設ける程度でよくなり、ほぼユーザフレーム５２の時間長程度となる。なお、バースト末尾の位相に関しては、このシステムが非同期で運用されているので、周波数偏差による変動マージン５８は発生する。これによって、上り伝送帯域の有効利用が図れるようになる。
【００４２】
そこで、ＯＮＵ２は、受信した制御フレーム５３からＧａｔｅ信号を検出し、時計１３を制御して指示された待ち合わせ時間７１を設定し、その待ち合わせ時間５９の経過後にユーザフレーム５４をＯＬＴ１に送出する。ここで、ＯＮＵ２は、待ち合わせ時間５９がＯＮＵ２内部の時計１３の時間情報とＧａｔｅ信号から検出したＯＬＴ１の時間情報とからＯＮＵ２内部の時計１３の周波数偏差を検出し、それに基づき送出タイミングの補正制御を実施することで設定される。
【００４３】
すなわち、ＯＬＴ１で受信されたユーザフレーム５２は、ＯＬＴ１の時間情報を参照して補正されているので、その先頭受信位相がＯＬＴ１の時間情報に基づき設定されていることになる。したがって、ＯＬＴ１では、ユーザフレーム５２の先頭に周波数偏差による僅かな変動マージン６２を用意するだけ、ユーザフレーム５２の先頭受信位相が検出できることになる。
【００４４】
次に、図３を参照してＯＮＵ２にて行われる周波数偏差の検出方法および待ち合わせ時間の補正制御動作を説明する。図３において、ＯＬＴ１が送信す制御フレーム６１，６２には、ＯＬＴ内部の時間情報が表示されている。したがって、ＯＮＵ２は、受信した少なくとも２つ以上の制御フレーム６３，６４からＯＬＴ１の時間情報が検出できれば、このＯＬＴ１の時間情報の差△Ｔｏｌｔが計算できる。
【００４５】
また、ＯＮＵ２では、このＯＬＴ１の時間情報の差△Ｔｏｌｔの期間内におけるＯＮＵ２での経過時間差△Ｔｏｎｕを計測することで、ＯＬＴ１とＯＮＵ２の周波数偏差による時間差△Ｔｏｌｔ−ｏｎｕが式（１）によって求めることができる。
△Ｔｏｌｔ−ｏｎｕ＝△Ｔｏｌｔ−△Ｔｏｎｕ      ・・・（１）
【００４６】
式（１）の結果から、ＯＮＵ２における単位時間でのＯＬＴ１での時間情報との誤差△ＤＴは式（２）で表される。
△ＤＴ＝△Ｔｏｌｔ−ｏｎｕ／△Ｔｏｎｕ          ・・・（２）
【００４７】
以上から、ＯＮＵ２は、ＯＬＴ１からの制御フレームに含まれるＧａｔｅ信号から上り信号を送出する場合の待ち合わせ時間Ｔｗａｉｔを設定する際に、次式（３）による補正計算で得られる補正後の待ち合わせ時間Ｔｗａｉｔ−ｎｅｗを用いると、ＯＬＴ１が受信する光バースト信号の先頭受信位相をＯＬＴ１の時間情報だけで設定できることになる。
Ｔｗａｉｔ−ｎｅｗ＝Ｔｗａｉｔ・（１＋△ＤＴ）  ・・・（３）
【００４８】
このように、周波数偏差検出回路１４では、ＯＬＴ１から送信される時間情報を含む制御フレームを検出した場合に、以前の時間情報を含む制御フレームとの差分を自ＯＮＵ２内の動作クロックで計数し、それに基づきＯＬＴ１に対する自ＯＮＵ２の周波数偏差量を求めることができる。
【００４９】
そして、補正制御回路１６は、ＯＬＴ１から自ＯＮＵ２に通知された上り信号の送出予定時刻による上り信号送出の待ち合わせ時間を、周波数偏差検出回路１４が求めた周波数偏差量を用いて、ＯＬＴ１での受信位相が僅かの変動マージン以内に収まるように補正することができる。
【００５０】
ここで、周波数偏差検出回路１４では、一度計算した周波数偏差量を記憶するようにし、それを繰り返し使用するようにしてもよいが、ＯＬＴ１から送信される時間情報を含む制御フレームを検出する毎に、上記のように求めた周波数偏差量を最新の計算値に更新するようにしてもよい。これによれば、周波数偏差自体が変動した場合でも送出タイミングの補正制御を正確に実施することができる。
【００５１】
【発明の効果】
以上説明したように、この発明によれば、局装置と端末装置が互いに非同期で運用されている場合に、局装置が周波数偏差による受信位相の変動を考慮しなくて済むように、端末装置は、局装置が持つ時間情報を用いて上り信号の送出タイミングを制御する。したがって、局装置における上り信号の受信位相の変動を少なくすることができ、局装置に受信される上り信号の先頭位相を局装置自体のクロックに基づいて計算した位相に一致させることが可能となり、上り伝送帯域の有効利用が図れるようになる。
【図面の簡単な説明】
【図１】この発明の一実施の形態である端末装置を備える光バースト送受信網の構成を示すブロック図である。
【図２】図１に示す局装置と端末装置の送受信動作を説明するタイムチャートである。
【図３】図１に示す端末装置にて実施される周波数偏差の検出動作および待ち合わせ時間の補正制御動作を説明するタイムチャートである。
【図４】この発明が対象とする光バースト送受信網の構成例を示すブロック図である。
【図５】図４に示す局装置と端末装置の送受信動作を説明するタイムチャートである。
【符号の説明】
１  局装置（ＯＬＴ）、２  端末装置（ＯＮＵ）、３  スターカプラ、４  光ファイバ、  ５，１０  電気・光変換回路、６  制御フレーム挿入回路、７  Ｇａｔｅ信号生成回路、８，１３  時計、９  制御フレーム抽出回路、１１  制御フレーム抽出回路、１２  Ｇａｔｅ信号抽出回路、１４  周波数偏差検出回路、１５  送信タイミング制御回路、１６  補正制御回路、１７  バッファ、１８  制御フレーム挿入回路。
【図１】
2004312454.tif 000003
【図２】
2004312454.tif 000004
【図３】
2004312454.tif 000005
【図４】
2004312454.tif 000006
【図５】
2004312454.tif 000007